(57)【要約】【課題】  操作性が良く、かつ耐衝撃性を確保できるスイッチ装置および時計を提供する。【解決手段】  本体ケース２の貫通孔１１に対してスライド可能に設けられた軸部１８、およびこの軸部１８の外端部に設けられて本体ケース２の外部に配置された頭部１９を備えた操作部材１４と、この操作部材１４の頭部１９の外周を覆った状態で、本体ケース２に、操作部材１４のスライド方向にスライド可能に設けられた緩衝保護部材１５と、を備えている。従って、操作部材１４を押し込む際に、緩衝保護部材１５を頭部１９と共にスライドさせた上、操作部材１４のみをスライドさせて押し込むことができるので、操作部材１４の操作性が良く、また緩衝保護部材１５が外部から衝撃を受けた際に、緩衝保護部材１５を操作部材１４と共にスライドさせて、衝撃を緩衝できる。【選択図】        図２
2017219448.tif 000002
【特許請求の範囲】
【請求項１】
貫通孔が設けられたケースと、
前記ケースの前記貫通孔に対してスライド可能に設けられた軸部、および前記軸部の外端部に設けられて前記ケースの外部に配置された頭部を備えた操作部材と、
前記操作部材の前記頭部の外周を覆った状態で、前記ケースに、前記操作部材のスライド方向にスライド可能に設けられた緩衝保護部材と、
を備えていることを特徴とするスイッチ装置。
【請求項２】
請求項１に記載のスイッチ装置において、前記緩衝保護部材のスライドの長さが前記操作部材のスライドの長さよりも短く設定されていることを特徴とするスイッチ装置。
【請求項３】
請求項１または請求項２に記載のスイッチ装置において、前記ケースには、前記緩衝保護部材の外周に位置した状態で、前記緩衝保護部材をスライド可能に保持する保持筒部が、前記ケースの外部に突出して設けられていることを特徴とするスイッチ装置。
【請求項４】
請求項３に記載のスイッチ装置において、前記保持筒部は、前記緩衝保護部材の軸方向の長さの半分ぐらいまで延出して設けられていることを特徴とするスイッチ装置。
【請求項５】
請求項１〜請求項４のいずれかに記載のスイッチ装置において、前記操作部材を前記ケースの外部に向けて付勢する第１の付勢部材と、前記緩衝保護部材を前記ケースの外部に向けて付勢する第２の付勢部材と、を備えていることを特徴とするスイッチ装置。
【請求項６】
請求項５に記載のスイッチ装置において、前記第２の付勢部材は、ばね部材であることを特徴とするスイッチ装置。
【請求項７】
請求項５に記載のスイッチ装置において、前記第２の付勢部材は、弾力性を有する弾性部材であることを特徴とするスイッチ装置。
【請求項８】
請求項１〜請求項７のいずれかに記載のスイッチ装置において、前記緩衝保護部材は、前記ケースの外部に前記操作部材と共に押し出された際に、前記緩衝保護部材の外端面と前記操作部材の外端面とがほぼ同一面上に位置することを特徴とするスイッチ装置。
【請求項９】
請求項１〜請求項８のいずれかに記載のスイッチ装置において、前記ケース内に設けられて、前記操作部材が前記緩衝保護部材のスライド長さよりも長いスライド長さで押し込まれた際に、オン状態になるスイッチ部を備えていることを特徴とするスイッチ装置。
【請求項１０】
請求項９に記載のスイッチ装置において、前記操作部材のスライド長さは、前記操作部材が押し出された第１の位置と前記操作部材が押し込まれて前記スイッチ部がオン状態になった第２の位置との間の長さに設定され、前記緩衝保護部材のスライド長さは、前記緩衝保護部材が押し出されてその外端部と前記操作部材の外端面とがほぼ同一面上に位置する前記第１の位置と前記緩衝保護部材が前記操作部材と共に押し込まれても前記スイッチ部がオン状態にならない第３の位置との間の長さに設定されていることを特徴とするスイッチ装置。
【請求項１１】
請求項１〜請求項１０のいずれかに記載されたスイッチ装置を備えていることを特徴とする時計。
【発明の詳細な説明】
【技術分野】
【０００１】
この発明は、腕時計や携帯電話機、携帯情報端末機などの電子機器に用いられるスイッチ装置およびそれを備えた時計に関する。
【背景技術】
【０００２】
例えば、腕時計においては、特許文献１に記載されているように、腕時計ケースに取り付けられて外部に突出した竜頭などの釦頭部の外端部を覆って保護する釦保護装置を備えた構成のものが知られている。
【先行技術文献】
【特許文献】
【０００３】
【特許文献１】特開２０１２−１６３３４０号公報
【０００４】
この種の釦保護装置は、釦頭部の両側に位置する腕時計ケースの外面に２つの保護突起部を釦頭部よりも突出させて設け、この保護突起部の一方に可動保護部の一端部を回転可能に取り付け、この可動保護部の他端部を他方向の保護突起部に着脱可能に取り付けることにより、これら２つの保護突起部と可動保護部とで釦頭部の外周を覆って保護するように構成されている。
【発明の概要】
【発明が解決しようとする課題】
【０００５】
このような腕時計の釦保護装置では、腕時計ケースの外部に突出する釦頭部の両側に２つの保護突起部を釦頭部よりも突出させて設け、これら２つの保護突起部に可動保護部を梁渡す構成であるから、釦頭部を操作する際に、一方の保護突起部に対して可動保護部を回転させて、釦頭部を開放させなければ、釦頭部を操作することができないため、操作性が悪いという問題がある。
【０００６】
この発明が解決しようとする課題は、操作性が良く、かつ耐衝撃性を確保することができるスイッチ装置およびそれを備えた時計を提供することである。
【課題を解決するための手段】
【０００７】
この発明は、貫通孔が設けられたケースと、前記ケースの前記貫通孔に対してスライド可能に設けられた軸部、および前記軸部の外端部に設けられて前記ケースの外部に配置された頭部を備えた操作部材と、前記操作部材の前記頭部の外周を覆った状態で、前記ケースに、前記操作部材のスライド方向にスライド可能に設けられた緩衝保護部材と、を備えていることを特徴とするスイッチ装置である。
【発明の効果】
【０００８】
この発明によれば、操作部材の頭部を押し込む際に、緩衝保護部材を操作部材の頭部と共にスライドさせた上、操作部材のみをスライドさせて押し込むことができるので、操作部材の押し込み感覚が良く、操作部材の操作性を向上させることができ、また緩衝保護部材が外部から衝撃を受けた際に、緩衝保護部材を操作部材の頭部と共にスライドさせることができるので、緩衝保護部材によって衝撃を緩衝することができると共に、操作部材の頭部を保護することができ、これにより耐衝撃性を確保することができる。
【図面の簡単な説明】
【０００９】
【図１】この発明を腕時計に適用した一実施形態を示した拡大正面図である。
【図２】図１に示された腕時計のＡ−Ａ矢視における要部を示した拡大断面図である。
【図３】図２に示されたスイッチ装置の緩衝保護部材が外部から衝撃を受けた状態を示した要部の拡大断面図である。
【図４】図３に示されたスイッチ装置の操作部材が更に押し込まれてスイッチ部をオン動作させた状態を示した要部の拡大断面図である。
【図５】この発明のスイッチ装置における第２の付勢部材の変形例を示した要部の拡大断面図である。
【発明を実施するための形態】
【００１０】
以下、図１〜図４を参照して、この発明を腕時計に適用した一実施形態について説明する。
この腕時計は、図１および図２に示すように、腕時計ケース１を備えている。この腕時計ケース１は、本体ケース２と外装ケース３とで構成されている。
【００１１】
この場合、本体ケース２は、図２に示すように、金属またが硬質の合成樹脂で形成されている。外装ケース３は、合成樹脂で形成され、本体ケース２の上部外周に防水パッキン３ａを介して取り付けられている。腕時計ケース１の上部開口部、つまり外装ケース３の上部開口部には、図１に示すように、時計ガラス４が取り付けられている。また、この腕時計ケース１の下部、つまり本体ケース２の下部には、図２に示すように、裏蓋５が防水リング５ａを介して取り付けられている。
【００１２】
この腕時計ケース１の内部、つまり本体ケース２の内部には、図２に示すように、時計モジュール６が配置されている。この時計モジュール６は、指針６ａを駆動するための時計ムーブメントや、時刻などの情報を電気光学的に表示する表示パネル、これらを電気的に駆動するための回路部などの時計機能に必要な各種の部品（いずれも図示せず）を備えている。この場合、時計モジュール６は、図１に示すように、その上部に文字板６ｂが配置され、この文字板６ｂの上方を指針６ａが運針するように構成されている。
【００１３】
一方、腕時計ケース１の１２時側と６時側との各側部には、図１に示すように、バンド取付部８がそれぞれ外部に突出して設けられている。これらバンド取付部８には、時計バンド７がそれぞれ取り付けられている。また、この腕時計ケース１の２時側、３時側、４時側、８時側、および１０時側の各側部には、スイッチ装置１０がそれぞれ設けられている。
【００１４】
これらスイッチ装置１０のうち、例えば２時側に位置するスイッチ装置１０は、図２〜図４に示すように、腕時計ケース１の本体ケース２に設けられた貫通孔１１に防水リング１２を介して取り付けられた筒状部材１３と、この筒状部材１３にスライド可能に挿入されて腕時計ケース１の外部に突出する操作部材１４と、腕時計ケース１にスライド可能に取り付けられて操作部材１４の外端部を覆って保護する緩衝保護部材１５と、を備えている。
【００１５】
この場合、貫通孔１１は、図２〜図４に示すように、本体ケース２にその内部と外部とに貫通して設けられている。この貫通孔１１の内周部には、雌ねじ部１１ａが設けられている。また、この貫通孔１１の外端部における縁部には、防水リング１２が配置される切欠き溝１１ｂが環状に設けられている。
【００１６】
筒状部材１３は、図２〜図４に示すように、本体ケース２の貫通孔１１内に取り付けられる筒状部１６と、本体ケース２の外面に配置される鍔状部１７と、を備え、これらが金属や硬質の合成樹脂で一体に形成されている。筒状部１６は、その外径が本体ケース２の貫通孔１１の内径と同じ大きさで、その軸方向の長さが貫通孔１１の軸方向の長さとほぼ同じ長さに形成されている。また、この筒状部１６の外周部には、貫通孔１１の雌ねじ部１１ａに螺合する雄ねじ部１６ａが設けられている。
【００１７】
これにより、筒状部１６は、図２〜図４に示すように、本体ケース２の貫通孔１１内に挿入されて、雄ねじ部１６ａが貫通孔１１の雌ねじ部１１ａに螺合して締め付けられることにより、本体ケース２の貫通孔１１内に取り付けられるように構成されている。この場合、筒状部１６は、その軸方向の内端部が本体ケース２の内周面とほぼ同一面上に位置し、また軸方向の外端部が本体ケース２の外面とほぼ同一面上に位置するように形成されている。
【００１８】
また、鍔状部１７は、図２〜図４に示すように、筒状部１６の軸方向に位置する外端部にリング状に形成された板部であり、その軸方向の内端面が本体ケース２の外面に配置されるように構成されている。この場合、鍔状部１７は、その内径が筒状部１６の内径と同じ大きさで、外径が貫通孔１１の切欠き溝１１ｂの外周側の内径よりも大きく形成されている。この場合、鍔状部１７の軸方向の外端面には、ドライバなどの工具が挿入する締付溝１７ｂが設けられている。
【００１９】
これにより、鍔状部１７は、図２〜図４に示すように、筒状部１６の雄ねじ部１６ａが本体ケース２の貫通孔１１に設けられた雌ねじ部１１ａに螺合した状態で、締付溝１７ｂにドライバなどの工具を挿入させて、筒状部１６の雄ねじ部１６ａを貫通孔１１の雌ねじ部１１ａに締め付けることにより、鍔状部１７の内端面が本体ケース２の外面に押し当てられて、防水リング１２を本体ケース２の切欠き溝１１ｂ内に押し付けるように構成されている。
【００２０】
一方、操作部材１４は、図２〜図４に示すように、筒状部材１３の筒状部１６内にスライド可能に挿入される軸部１８と、この軸部１８の外端部に設けられて筒状部材１３の鍔状部１７の外部側、つまり本体ケース２の外部に配置される頭部１９と、を備えている。軸部１８は、その外径が筒状部１６の軸挿入孔１６ｃの内径とほぼ同じ大きさで、軸方向の長さが筒状部材１３の軸方向の長さよりも長く形成されている。
【００２１】
これにより、軸部１８は、図２〜図４に示すように、筒状部１６の軸挿入孔１６ｃ内に挿入された際に、その内端部が本体ケース２の内部に突出し、外端部が筒状部材１３の鍔状部１７から本体ケース２の外部に突出するように構成されている。この場合、軸部１８の外周部には、複数の防水リング２０が設けられている。これら複数の防水リング２０は、その外周部が筒状部材１３の筒状部１６の内周面に圧接した状態で摺動することにより、軸部１８の外周面と筒状部１６の内周面との間の防水を図るように構成されている。
【００２２】
また、本体ケース２の内部に突出する軸部１８の内端部には、図２〜図４に示すように、Ｅリングなどの抜止め部材２１が取り付けられている。これにより、軸部１８は、抜止め部材２１が本体ケース２の貫通孔１１内に取り付けられた筒状部１６の内端部に接離可能に当接することにより、本体ケース２の外部に抜け出さないように構成されている。
【００２３】
さらに、この軸部１８は、図２〜図４に示すように、その内端部が本体ケース２内の時計モジュール６に設けられたスイッチ部２２に接離可能に対応するように構成されている。この場合、スイッチ部２２は、時計モジュール６の外周部に設けられた接点部２２ａと、軸部１８の内端部で押されて接点部２２ａに接離可能に接触する接点ばね２２ｂと、を備えている。この接点ばね２２ｂは、板ばねであり、その一端部が時計モジュール６の外周部に設けられ、可変側の他端部が常に軸部１８の内端部に弾接するように構成されている。
【００２４】
これにより、スイッチ部２２は、図２〜図４に示すように、操作部材１４が押されて軸部１８の内端部が本体ケース２内に押し込まれた際に、軸部１８の内端部によって接点ばね２２ｂが押されて接点部２２ａに押し付けられることにより、オン動作するように構成されている。また、このスイッチ部２２は、操作部材１４が押し出されて軸部１８の内端部が接点部２２ａから離れた際に、接点ばね２２ｂが軸部１８の内端部に接触した状態で弾性復帰して接点部２２ａから離れることにより、オフ状態になるように構成されている。
【００２５】
一方、操作部材１４の頭部１９は、図２〜図４に示すように、筒状部材１３の鍔状部１７から本体ケース２の外部に突出した軸部１８の外端部に設けられている。この頭部１９は、その外径が筒状部材１３の鍔状部１７の外径とほぼ同じ大きさで、全体が円板状に形成されている。また、この頭部１９は、筒状部材１３の鍔状部１７から本体ケース２の外部に向けて所定間隔（Ｓ１）だけ離れて配置されるように構成されている。
【００２６】
すなわち、この頭部１９は、図２〜図４に示すように、軸部１８の内端部に設けられた抜止め部材２１が本体ケース２の内周面に位置する筒状部材１３の筒状部１６の内端面に当接した状態のときに、操作部材１４のスライド長さＳ１だけ、筒状部材１３の鍔状部１７から本体ケース２の外部に向けて離れるように構成されている。
【００２７】
この場合、操作部材１４のスライド長さＳ１は、図２〜図４に示すように、操作部材１４が押し出された第１の位置（図２に示す位置）と操作部材１４が押し込まれて時計モジュール６のスイッチ部２２がオン状態になった第２の位置（図４に示す位置）との間の長さに設定されている。すなわち、この操作部材１４のスライド長さＳ１は、軸部１８の内端部に弾接する接点ばね２２ｂの可変側の端部からスイッチ部２２の接点部２２ａまでの長さである。
【００２８】
また、この操作部材１４は、図２〜図４に示すように、第１の付勢部材である第１ばね部材２３によって本体ケース２の外部に向けて押し出される方向に付勢されるように構成されている。すなわち、この第１ばね部材２３は、コイルばねであり、軸部１８の外周に配置されている。
【００２９】
この場合、第１ばね部材２３は、図２〜図４に示すように、その内端部が筒状部材１３の鍔状部１７の外面に環状に設けられた凹部１７ｃ内に配置されて弾接し、外端部が頭部１９の内端面に環状に設けられた凹部１９ａ内に配置されて弾接することにより、頭部１９を本体ケース２の外部に向けて押し出す方向に付勢するように構成されている。
【００３０】
これにより、操作部材１４は、図２に示すように、通常状態のときに、第１ばね部材２３のばね力によって頭部１９が本体ケース２の外部に向けて押し出されて、第１の位置に配置された際に、軸部１８の内端部の抜止め部材２１が本体ケース２内に位置する筒状部１６の内端面に当接して、軸部１８の内端部が時計モジュール６のスイッチ部２２の接点部２２ａから離れることにより、スイッチ部２２をオフ状態にするように構成されている。
【００３１】
また、この操作部材１４は、図４に示すように、第１ばね部材２３のばね力に抗して頭部１９が本体ケース２の内部に向けて押し込まれ、軸部１８の内端部の抜止め部材２１が本体ケース２内に位置する筒状部１６の内端面から離れて、軸部１８の内端部が本体ケース２の内部に向けて突出した際に、この突出した軸部１８の内端部が時計モジュール６のスイッチ部２２の接点ばね２２ｂを押圧して接点部２２ａに接触させた第２の位置に配置されることにより、スイッチ部２２をオン動作させるように構成されている。
【００３２】
ところで、緩衝保護部材１５は、図２〜図４に示すように、操作部材１４の頭部１９の外周を覆った状態で、本体ケース２に対してスライド可能に設けられている。すなわち、この緩衝保護部材１５は、ほぼ円筒状に形成され、その内部に操作部材１４の頭部１９がスライド可能に配置され、この状態で本体ケース２に設けられた保持筒部２４内にスライド可能に取り付けられるように構成されている。
【００３３】
この場合、保持筒部２４は、図２〜図４に示すように、ほぼ円筒状をなし、本体ケース２にその外部に突出して設けられている。また、保持筒部２４は、緩衝保護部材１５の軸方向の長さの半分ぐらいまで延出して設けられている。すなわち、この保持筒部２４は、その内径が緩衝保護部材１５の外径とほぼ同じ大きさで、軸方向の長さが緩衝保護部材１５の軸方向の長さよりも短く、かつ筒状部材１３の鍔状部１７の軸方向の長さ（厚み）とほぼ同じ長さで形成されている。
【００３４】
また、この保持筒部２４内に位置する本体ケース２の外面には、図２〜図４に示すように、緩衝保護部材１５の内端部が挿入する保持溝２５が、保持筒部２４の内周に沿って環状に設けられている。この保持溝２５は、その軸方向の長さ（深さ）が筒状部材１３の鍔状部１７の軸方向の長さ（厚み）とほぼ同じ長さに形成されている。これにより、緩衝保護部材１５は、その軸方向の長さにおける半分程度の部分が、保持筒部２４内に配置されてガイドされるように構成されている。
【００３５】
この場合、保持溝２５は、図２〜図４に示すように、その径方向における外周側の内径が保持筒部２４の内径と同じ大きさで、径方向における内周側の内径が筒状部材１３の鍔状部１７の外径よりも小さく形成されている。このため、筒状部材１３の鍔状部１７は、その外周部１７ａが保持溝２５の内周側から外周側に位置する保持筒部２４に向けてストッパ部として突出するように構成されている。
【００３６】
一方、緩衝保護部材１５は、図２〜図４に示すように、ほぼ円筒状に形成され、その外径が本体ケース２の保持筒部２４の内径とほぼ同じ大きさで、内径が操作部材１４の頭部１９の外径および筒状部材１３の鍔状部１７の外径とほぼ同じ大きさに形成されている。これにより、緩衝保護部材１５は、本体ケース２の保持筒部２４内にその軸方向にスライド可能に配置され、この状態で内部に操作部材１４の頭部１９がその軸方向にスライド可能に配置されるように構成されている。
【００３７】
また、この緩衝保護部材１５は、図２〜図４に示すように、その軸方向の長さが、操作部材１４の頭部１９が押し出された第１の位置（図２に示す位置）の状態で、その頭部１９の外端面から筒状部材１３の鍔状部１７の内端面までの長さよりも長く、かつ頭部１９の外端面から本体ケース２の保持溝２５における軸方向の内端面（底面）までの長さよりも短い長さで形成されている。これにより、保持筒部２４の保持溝２５は、その内部に緩衝保護部材１５の内端部がスライドするための隙間が設けられるように構成されている。
【００３８】
この場合、緩衝保護部材１５の内端部には、図２〜図４に示すように、本体ケース２の保持溝２５内にスライド可能に配置された状態で、筒状部材１３の鍔状部１７の外周部１７ａに接離可能に当接する当接部１５ａが、緩衝保護部材１５の中心軸側に向けて突出して設けられている。また、この緩衝保護部材１５の外周部には、本体ケース２の保持筒部２４の外端部に接離可能に当接する位置規制部１５ｂが設けられている。
【００３９】
これにより、緩衝保護部材１５は、図２に示すように、その内端部および当接部１５ａが本体ケース２の保持溝２５内にスライド可能に配置された状態で、本体ケース２の保持筒部２４から外部に向けて押し出されて、その内端部に設けられた当接部１５ａの外側面が鍔状部１７の外周部１７ａの内側面に当接した際に、緩衝保護部材１５の外周部の位置規制部１５ｂが本体ケース２の保持筒部２４の外端部から軸方向に所定間隔（Ｓ２）だけ離れるように構成されている。
【００４０】
また、この緩衝保護部材１５は、図４に示すように、本体ケース２の保持筒部２４内に押し込まれて、その外周部の位置規制部１５ｂが本体ケース２の保持筒部２４の外端部に当接した際に、緩衝保護部材１５の内端部に設けられた当接部１５ａの外側面が鍔状部１７の外周部１７ａの内側面から軸方向に所定間隔（Ｓ２）だけ離れるように構成されている。
【００４１】
この場合、緩衝保護部材１５は、図２〜図４に示すように、第２の付勢部材である第２ばね部材２６によって本体ケース２の保持筒部２４内から外部に向けて押し出される方向に付勢されるように構成されている。すなわち、この第２ばね部材２６は、リング形状の皿ばねであり、本体ケース２の保持溝２５内に配置されるように構成されている。
【００４２】
この場合、第２ばね部材２６は、図２〜図４に示すように、その外周側の縁部が保持溝２５内における軸方向の内面（底面）に弾接し、第２ばね部材２６の内周側の縁部が緩衝保護部材１５の内端部に設けられた当接部１５ａの内端面に弾接することにより、緩衝保護部材１５を本体ケース２の保持筒部２４内から外部に向けて押し出す方向に付勢するように構成されている。
【００４３】
これにより、緩衝保護部材１５は、図２〜図４に示すように、通常状態のときに、第２ばね部材２６のばね力によって本体ケース２の保持筒部２４内から外部に向けて押し出され、また第２ばね部材２６のばね力に抗して保持筒部２４の内部に向けて押し込まれるように構成されている。
【００４４】
この場合、第２ばね部材２６は、図２〜図４に示すように、そのばね力が第１ばね部材２３のばね力とほぼ同じ強さに設定されていても良いが、第１ばね部材２３のばね力よりも強く設定されていることが望ましい。すなわち、この第２ばね部材２６は、緩衝保護部材１５が外部から衝撃を受けた際に、その衝撃に応じて緩衝保護部材１５がスライドして圧縮されることにより、衝撃を緩衝するために、第１ばね部材２３のばね力よりも強く設定されている。
【００４５】
また、この緩衝保護部材１５は、図２〜図４に示すように、そのスライド長さＳ２が操作部材１４のスライド長さＳ１よりも短く（Ｓ２＜Ｓ１）設定されている。すなわち、緩衝保護部材１５のスライド長さＳ２は、緩衝保護部材１５の内端部に設けられた当接部１５ａが鍔状部１７の外周部１７ａに当接した第１の位置（図２に示す位置）と、緩衝保護部材１５の外周部の位置規制部１５ｂが本体ケース２の保持筒部２４の外端部に当接した第３の位置（図３に示す位置）との間の長さに設定されている。
【００４６】
この場合、第１の位置は、図２に示すように、緩衝保護部材１５の内端部に設けられた当接部１５ａが鍔状部１７の外周部１７ａに当接した状態で、操作部材１４が第１ばね部材２３によって押し出され、操作部材１４の軸部１８の内端部に設けられた抜止め部材２１が筒状部材１３の筒状部１６の内端面に当接したときに、緩衝保護部材１５の外端面と操作部材１４の頭部１９の外端面とがほぼ同一面上に配置される位置である。
【００４７】
また、第３の位置は、図３に示すように、緩衝保護部材１５が操作部材１４の頭部１９と共に本体ケース２に向けて押し込まれて、緩衝保護部材１５の外周部の位置規制部１５ｂが本体ケース２の保持筒部２４の外端部に当接した状態で、緩衝保護部材１５の外端面と操作部材１４の頭部１９の外端面とがほぼ同一面上に配置されたときに、操作部材１４の軸部１８の内端部が本体ケース２の内部に突出しても、スイッチ部２２がオン状態にならない位置である。
【００４８】
次に、このような腕時計のスイッチ装置１０の作用について説明する。
このスイッチ装置１０を組み立てる場合には、予め、本体ケース２の上部外周に防水パッキン３ａを介して外装ケース３を取り付ける。そして、この本体ケース２の保持筒部２４内に位置する保持溝２５内に第２ばね部材２６を配置し、この状態で緩衝保護部材１５を本体ケース２の保持筒部２４内に挿入させて、緩衝保護部材１５の内端部および当接部１５ａを本体ケース２の保持溝２５内に配置する。
【００４９】
この状態では、緩衝保護部材１５の内端部と本体ケース２の保持溝２５における軸方向の内端面（底面）との間に第２ばね部材２６が挟まれる。この状態で、本体ケース２の切欠き溝１１ｂ内に防水リング１２を配置して、本体ケース２の貫通孔１１内に筒状部材１３の筒状部１６を取り付ける。このときには、筒状部材１３の筒状部１６を本体ケース２の貫通孔１１内に挿入すると共に、筒状部材１３の鍔状部１７を緩衝保護部材１５の内部に配置する。
【００５０】
この状態で、鍔状部１７の締付溝１７ｂにドライバなどの工具を挿入させて、鍔状部１７を回転させることにより、筒状部１６の雄ねじ部１６ａを貫通孔１１の雌ねじ部１１ａに螺合させて締め付ける。これにより、筒状部１６が貫通孔１１に取り付けられると共に、鍔状部１７が防水リング１２を切欠き溝１１ｂ内に押し付ける。
【００５１】
また、このときには、鍔状部１７の外周部１７ａの内側面が緩衝保護部材１５の当接部１５ａの外側面に当接して、第２ばね部材２６を緩衝保護部材１５の内端部と本体ケース２の保持溝２５における軸方向の内端面（底面）との間に弾力的に挟み付ける。これにより、緩衝保護部材１５が本体ケース２の保持筒部２４内にスライド可能な状態で取り付けられる。
【００５２】
この場合には、緩衝保護部材１５が第２ばね部材２６のばね力によって本体ケース２の外部に向けて押し出されることにより、緩衝保護部材１５の内端部に設けられた当接部１５ａの外側面が鍔状部１７の外周部１７ａの内側面に当接し、緩衝保護部材１５の外周部の位置規制部１５ｂが本体ケース２の保持筒部２４の外端部から軸方向に所定間隔（Ｓ２）だけ離れた状態で配置される。
【００５３】
そして、操作部材１４を筒状部材１３に取り付ける。このときには、予め、操作部材１４の軸部１８の外周部に複数の防水リング２０を取り付けると共に、軸部１８の外周に第１ばね部材２３を配置する。この状態で、操作部材１４の軸部１８を本体ケース２の保持筒部２４側から筒状部材１３の筒状部１６内に挿入させて、軸部１８の内端部を本体ケース２内に突出させると共に、操作部材１４の頭部１９を緩衝保護部材１５内に挿入させる。
【００５４】
この状態で、本体ケース２内に突出した軸部１８の内端部に抜止め部材２１を取り付ける。これにより、軸部１８の複数の防水リング２０が筒状部材１３の筒状部１６の内周面に摺動可能な状態で圧接することにより、軸部１８の外周面と筒状部１６の内周面との間の防水が図られる。
【００５５】
また、このときには、第１ばね部材２３のばね力によって頭部１９が緩衝保護部材１５内から外部に向けて押し出されることにより、軸部１８の内端部の抜止め部材２１が本体ケース２の内周面に位置する筒状部材１３の筒状部１６の内端面に当接する。この状態では、頭部１９の外端面と緩衝保護部材１５の外端面とが同一面上に配置される。
【００５６】
この状態で、本体ケース２内に時計モジュール６を組み込む。このときには、時計モジュール６に設けられたスイッチ部２２を操作部材１４の軸部１８の内端部に対応させる。この場合には、予め、時計モジュール６の外周部にスイッチ部２２の接点部２２ａを設け、この接点部２２ａの近傍に位置する時計モジュール６の外周部にスイッチ部２２の接点ばね２２ｂの一端部を設け、この接点ばね２２ｂｂの可変部の他端部を接点部２２ａに接離可能に対応させる。これにより、時計モジュール６にスイッチ部２２が取り付けられる。
【００５７】
この状態で、時計モジュール６を本体ケース２内に組み込む際には、スイッチ部２２の接点ばね２２ｂを、本体ケース２内に突出した操作部材１４の軸部１８の内端部に弾接させた状態で配置する。これにより、スイッチ装置１０が腕時計ケース１に組み付けられる。この後は、本体ケース２の下面に裏蓋５を取り付ければ良い。
【００５８】
次に、このスイッチ装置１０を使用する場合について説明する。
このスイッチ装置１０では、通常状態のときに、図２に示すように、緩衝保護部材１５が第２ばね部材２６のばね力によって本体ケース２の保持筒部２４内から外部に向けて押し出される。また、このときには、操作部材１４の頭部１９が第１ばね部材２３のばね力によって本体ケース２の外部に向けて押し出されて、第１の位置に配置される。
【００５９】
すなわち、緩衝保護部材１５が第２ばね部材２６のばね力によって押し出された際には、図２に示すように、緩衝保護部材１５の内端部における当接部１５ａの外側面が筒状部材１３の鍔状部１７における外周部１７ａの内側面に当接し、緩衝保護部材１５の外周部に設けられた位置規制部１５ｂが本体ケース２の保持筒部２４の外端部から所定間隔（Ｓ２）だけ離れた位置に配置される。
【００６０】
また、操作部材１４の頭部１９が第１ばね部材２３のばね力によって押し出された際には、図２に示すように、操作部材１４の軸部１８の内端部に設けられた抜止め部材２１が本体ケース２内に位置する筒状部１６の内端面に当接して、この軸部１８の内端部が時計モジュール６のスイッチ部２２の接点部２２ａから離れる。これにより、スイッチ部２２がオフ状態になる。この状態では、緩衝保護部材１５の外端部と操作部材１４の頭部１９の外端面とがほぼ同一面上に配置される。
【００６１】
そして、操作部材１４の頭部１９を押圧する際には、頭部１９よりも外径の大きい緩衝保護部材１５が頭部１９と共に押圧される。このときには、第２ばね部材２６のばね力が第１ばね部材２３のばね力よりも強く設定されていることにより、第２ばね部材２６のばね力に抗して緩衝保護部材１５を操作部材１４の頭部１９と共に押圧する。
【００６２】
これにより、図３に示すように、操作部材１４の頭部１９よりも外径の大きい緩衝保護部材１５と共に操作部材１４の頭部１９がスライドすることで、操作部材１４の押し込み感覚が向上する。このため、緩衝保護部材１５が保持筒部２４でガイドされながら本体ケース２側に向けてスライドし、緩衝保護部材１５の位置規制部１５ｂが保持筒部２４の外端部に当接して位置規制される。
【００６３】
これと同時に、操作部材１４の頭部１９が緩衝保護部材１５と共に本体ケース２内に向けてスライドする。このときには、図３に示すように、操作部材１４の軸部１８が筒状部材１３の筒状部１６内をスライドし、軸部１８の内端部が本体ケース２内に突出して、時計モジュール６のスイッチ部２２の接点ばね２２ｂを接点部２２ａに向けて押圧するが、緩衝保護部材１５のスライド長さＳ２が操作部材１４のスライド長さＳ１よりも短いため、軸部１８の内端部が本体ケース２内に突出しても、スイッチ部２２がオンすることはない。
【００６４】
この状態で、操作部材１４の頭部１９を第１ばね部材２３のばね力に抗して押圧する。このときには、図４に示すように、緩衝保護部材１５はスライドせず、操作部材１４のみがスライドし、頭部１９が第１ばね部材２３を圧縮させて筒状部材１３の鍔状部１７に接近すると共に、軸部１８の内端部が更に本体ケース２内に突出して、スイッチ部２２の接点ばね２２ｂを接点部２２ａに押し付けて接触させる。これにより、スイッチ部２２がオン状態になる。
【００６５】
一方、スイッチ装置１０が通常状態のときに、緩衝保護部材１５が外部から衝撃を受けた際には、その衝撃に応じて緩衝保護部材１５が操作部材１４の頭部１９と共にスライドして、第２ばね部材２６を圧縮すると共に、頭部１９が第１ばね部材２３を圧縮する。これにより、衝撃が緩衝されると共に、緩衝保護部材１５によって操作部材１４の頭部１９が保護される。
【００６６】
また、緩衝保護部材１５が外部から衝撃（緩衝保護部材１５の軸方向に対して垂直方向や斜め方向からの衝撃）を受けた際には、保持筒部２４が、ほぼ円筒状をなし、緩衝保護部材１５の軸方向の長さの半分ぐらいまで延出して設けられているので、緩衝保護部材１５が軸方向に対してねじれることなく、緩衝保護部材１５によって操作部材１４の頭部１９が保護される。
【００６７】
この場合、外部からの衝撃を緩衝しきれないときには、図３に示すように、緩衝保護部材１５が更にスライドして、緩衝保護部材１５の位置規制部１５ｂが保持筒部２４の外端部に当接して位置規制される。これにより、外部の衝撃を緩衝保護部材１５によって確実に受け止めて、スイッチ部２２が不用意にオンするのを確実に防ぐと共に、緩衝保護部材１５によって操作部材１４の頭部１９を確実にかつ良好に保護する。
【００６８】
また、このときには、操作部材１４の軸部１８が緩衝保護部材１５と共にスライドして、軸部１８の内端部が本体ケース２内に突出するが、図３に示すように、時計モジュール６のスイッチ部２２がオン状態になることはない。このため、外部からの衝撃を受けても、軸部１８の内端部によってスイッチ部２２が誤動作したり破損したりすることがなく、スイッチ部２２および時計モジュール６を良好に保護することができる。
【００６９】
このように、この腕時計のスイッチ装置１０によれば、貫通孔１１が設けられた腕時計ケース１の本体ケース２と、この本体ケース２の貫通孔１１に対してスライド可能に設けられた軸部１８、およびこの軸部１８の外端部に設けられて本体ケース２の外部に配置された頭部１９を備えた操作部材１４と、この操作部材１４の頭部１９の外周を覆った状態で、本体ケース２にスライド可能に設けられ、かつそのスライド長さＳ２が操作部材１４のスライド長Ｓ１さよりも短く設定された緩衝保護部材１５と、を備えていることにより、操作部材１４の操作性を向上させ、かつ耐衝撃性を確保することができる。
【００７０】
すなわち、この腕時計のスイッチ装置１０では、操作部材１４の頭部１９を押し込む際に、操作部材１４の頭部１９と共に緩衝保護部材１５をスライドさせた上、操作部材１４のみをスライドさせて押し込むことができるので、操作部材１４の頭部１９の外径よりも大きい外径の緩衝保護部材１５を操作部材１４の頭部１９と共にスライドさせることができ、これにより操作部材１４の押し込み感覚を向上させることができるので、操作部材１４の操作性を向上させることができる。
【００７１】
また、この腕時計のスイッチ装置１０では、緩衝保護部材１５が外部から衝撃を受けた際に、緩衝保護部材１５が操作部材１４の頭部１９を覆った状態で、緩衝保護部材１５を頭部１９と共にスライドさせることができるので、緩衝保護部材１５によって衝撃を緩衝することができると共に、操作部材１４の頭部１９を良好に保護することができ、これにより耐衝撃性を確保することができる。
【００７２】
この場合、本体ケース２は、その貫通孔１１に設けられた筒状部材１３と、緩衝保護部材１５がスライド可能に配置される保持筒部２４と、を備えていることにより、貫通孔１１に設けられた筒状部材１３によって操作部材１４を本体ケース２の貫通孔１１に対して確実にかつ良好に取り付けることができると共に、保持筒部２４によって緩衝保護部材１５をスライド可能な状態で本体ケース２に対して確実にかつ良好に取り付けることができる。
【００７３】
すなわち、筒状部材１３は、本体ケース２の貫通孔１１内に固定された筒状部１６と、本体ケース２の外面に配置された鍔状部１７と、を備えているので、筒状部１６内に操作部材１４の軸部１８をスライド可能な状態で確実にかつ良好に取り付けることができる。また、保持筒部２４は、緩衝保護部材１５の外周に位置した状態で、本体ケース２にその外部に突出して設けられているので、保持筒部２４の内部に緩衝保護部材１５をスライド可能な状態で確実にかつ良好に取り付けることができる。
【００７４】
この場合、緩衝保護部材１５は、その内端部に筒状部材１３の鍔状部１７の外周部１７ａに接離可能に当接する当接部１５ａが設けられ、外周部に保持筒部２４の外端部に接離可能に当接する位置規制部１５ｂが設けられていることにより、緩衝保護部材１５のスライド長さＳ２を精度良く正確に設定することができる。
【００７５】
すなわち、緩衝保護部材１５は、本体ケース２の外部に向けて押し出された際に、当接部１５ａが鍔状部１７の外周部１７ａに当接して、位置規制部１５ｂが保持筒部２４の外端部から所定間隔（Ｓ２）だけ離れ、本体ケース２の内部に向けて押し込まれた際に、位置規制部１５ｂが保持筒部２４の外端部に当接し、当接部１５ａが鍔状部１７の外周部１７ａから所定間隔（Ｓ２）だけ離れることにより、緩衝保護部材１５のスライド長さＳ２を精度良く正確に設定することができる。
【００７６】
また、このスイッチ装置１０では、操作部材１４を本体ケース２の外部に向けて付勢する第１の付勢部材である第１ばね部材２３と、緩衝保護部材１５を本体ケース２の外部に向けて付勢する第２の付勢部材である第２ばね部材２６と、を備えていることにより、第１ばね部材２３のばね力によって操作部材１４を本体ケース２の外部に向けて押し出すことができ、また第２ばね部材２６のばね力によって緩衝保護部材１５を本体ケース２の外部に向けて押し出すことができる。
【００７７】
このため、このスイッチ装置１０では、緩衝保護部材１５が外部から衝撃を受けた際に、緩衝保護部材１５がスライドしながら第２ばね部材２６を圧縮させると共に、緩衝保護部材１５のスライドに伴って操作部材１４の頭部１９がスライドして第１ばね部材２３を圧縮させるので、衝撃を良好に緩衝することができると共に、操作部材１４の頭部１９を確実にかつ良好に保護することができる。
【００７８】
また、このスイッチ装置１０では、操作部材１４の頭部１９を押し込む際に、第２ばね部材２６のばね力に抗して緩衝保護部材１５を押し込むことにより、この緩衝保護部材１５と共に操作部材１４の頭部１９を押し込むことができ、これにより緩衝保護部材１５の位置規制部１５ｂが保持筒部２４の外端部に当接して、緩衝保護部材１５のスライドを停止させた状態で、頭部１９を第１ばね部材２３のばね力に抗して更に押し込むことができるので、操作部材１４の押し込み感覚を向上させることができ、これにより操作部材１４の操作性を向上させることができる。
【００７９】
この場合、第２ばね部材２６は、そのばね力が第１ばね部材２３のばね力よりも強く設定されていることにより、第２ばね部材２６のばね力に抗して緩衝保護部材１５を操作部材１４の頭部１９と共に押圧すると、緩衝保護部材１５のスライドに伴って操作部材１４の頭部１９を確実にかつ良好にスライドさせることができ、緩衝保護部材１５のスライドが停止した状態で、第２ばね部材２６のばね力よりも軽い力で頭部１９を更に押し込むことができるので、操作部材１４の押し込み感覚を更に向上させることができ、これにより操作部材１４の操作性を、より一層、向上させることができる。
【００８０】
また、第２ばね部材２６は、リング形状の皿ばねであることにより、構造が簡単で、低価格を図ることができると共に、設置スペースのコンパクト化を図ることができ、これにより緩衝保護部材１５の内端部とこれに対応する本体ケース２の保持溝２５内における軸方向の内端面との間の僅かな隙間に効率良く良好に設置することができる。
【００８１】
また、このスイッチ装置１０では、緩衝保護部材１５が本体ケース２の外部に押し出された際に、その外端面と操作部材１４の頭部１９の外端面とがほぼ同一面上に位置することにより、外部からの衝撃を、操作部材１４の頭部１９が受けることがなく、緩衝保護部材１５で受け止めることができるので、この緩衝保護部材１５によって操作部材１４を確実にかつ良好に保護することができる。
【００８２】
さらに、このスイッチ装置１０では、本体ケース２内に設けられて、操作部材１４が緩衝保護部材１５のスライド長さＳ２よりも長いスライド長さＳ１で押し込まれた際に、オン動作するスイッチ部２２を備えていることにより、外部から衝撃を受けて緩衝保護部材１５が操作部材１４と共にスライドして押し込まれても、操作部材１４がスイッチ部２２をオン状態にさせないようにすることができ、これにより外部からの衝撃によるスイッチ部２２の誤動作およびスイッチ部２２の破損を確実に防ぐことができる。
【００８３】
また、このスイッチ装置１０における操作部材１４のスライド長さＳ１は、操作部材１４が押し出された第１の位置と操作部材１４が押し込まれてスイッチ部２２がオン状態になった第２の位置との間の長さに設定され、緩衝保護部材１５のスライド長さＳ２は、緩衝保護部材１５が押し出されてその外端部と操作部材１４の外端面とがほぼ同一面上に位置する第１の位置と緩衝保護部材１５が操作部材１４と共に押し込まれてスイッチ部２２がオン状態にならない第３の位置との間の長さに設定されていることにより、操作部材１４の操作性が良く、かつ外部からの衝撃によるスイッチ部２２の誤動作およびスイッチ部２２の破損を確実に防ぐことができる。
【００８４】
すなわち、このスイッチ装置１０では、緩衝保護部材１５のスライド長さＳ２が操作部材１４のスライド長さＳ１よりも短いため、外部から衝撃を受けて緩衝保護部材１５が操作部材１４と共にスライドして押し込まれても、操作部材１４がスイッチ部２２をオン状態にさせないようにすることができ、これにより外部からの衝撃によるスイッチ部２２の誤動作およびスイッチ部２２の破損を確実に防ぐことができる。
【００８５】
また、このスイッチ装置１０では、操作部材１４によってスイッチ部２２をオン動作させる際に、まず、緩衝保護部材１５を操作部材１４と共に押し込んで、操作部材１４の軸部１８の内端部をスイッチ部２２に接近させ、この状態で操作部材１４のみを更に押し込んで、スイッチ部２２をオン動作させることができるので、操作部材１４の押し込み感覚を向上させることができ、これにより操作部材１４の操作性が良く、確実にかつ良好にスイッチ部２２をオン動作させることができる。
【００８６】
なお、上述した実施形態では、第２の付勢部材であるばね部材２６が皿ばねである場合について述べたが、この発明はこれに限らず、例えばスプリングワッシャなどの板状のばねであっても良い。
【００８７】
また、上述した実施形態では、第２の付勢部材として、ばね部材２６を用いた場合について述べたが、この発明はこれに限らず、例えば図５に示す変形例のように、第２の付勢部材として弾性部材３０を用いても良い。この場合、弾性部材３０は、ウレタンゴム、シリコーンゴム、エラストマなどの弾力性を有する合成樹脂、または衝撃吸収性を有するゲル状の樹脂などである。
【００８８】
また、上述した実施形態では、スイッチ部２２が接点部２２ａと接点ばね２２ｂとを備えた構成である場合について述べたが、この発明はこれに限らず、マイクロスイッチや近接スイッチなどのスイッチ部であっても良い。
【００８９】
さらに、上述した実施形態では、緩衝保護部材１５の内端部に当接部１５ａを緩衝保護部材１５の中心軸側に向けて突出させて設けた場合について述べたが、この発明はこれに限らず、例えば、緩衝保護部材１５の内端部に当接部を緩衝保護部材１５の径方向における外周側に向けて突出させて設けた構成であっても良い。
【００９０】
この場合には、本体ケース２に設けられた保持筒部２４の内周面に緩衝保護部材１５の当接部がスライド可能に挿入するガイド溝を設け、このガイド溝の軸方向における本体ケース２の外部側に位置する内端面に緩衝保護部材１５の当接部が接離可能に当接することにより、緩衝保護部材１５が外部に向けて押し出された際の位置を規制するように構成すれば良い。
【００９１】
なおまた、上述した実施形態では、腕時計に適用した場合について述べたが、必ずしも腕時計である必要はなく、例えばトラベルウオッチ、目覚まし時計、置き時計、掛け時計などの各種の時計に適用することができる。また、この発明は必ずしも時計である必要はなく、例えば、携帯電話機や携帯情報端末機などの電子機器にも適用することができる。
【００９２】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００９３】
（付記）
請求項１に記載の発明は、貫通孔が設けられたケースと、前記ケースの前記貫通孔に対してスライド可能に設けられた軸部、および前記軸部の外端部に設けられて前記ケースの外部に配置された頭部を備えた操作部材と、前記操作部材の前記頭部の外周を覆った状態で、前記ケースに、前記操作部材のスライド方向にスライド可能に設けられた緩衝保護部材と、を備えていることを特徴とするスイッチ装置である。
【００９４】
請求項２に記載の発明は、請求項１に記載のスイッチ装置において、前記緩衝保護部材のスライドの長さが前記操作部材のスライドの長さよりも短く設定されていることを特徴とするスイッチ装置である。
【００９５】
請求項３に記載の発明は、請求項１または請求項２に記載のスイッチ装置において、前記ケースには、前記緩衝保護部材の外周に位置した状態で、前記緩衝保護部材をスライド可能に保持する保持筒部が、前記ケースの外部に突出して設けられていることを特徴とするスイッチ装置である。
【００９６】
請求項４に記載の発明は、請求項３に記載のスイッチ装置において、前記保持筒部は、前記緩衝保護部材の軸方向の長さの半分ぐらいまで延出して設けられていることを特徴とするスイッチ装置である。
【００９７】
請求項５に記載の発明は、請求項１〜請求項４のいずれかに記載のスイッチ装置において、前記操作部材を前記ケースの外部に向けて付勢する第１の付勢部材と、前記緩衝保護部材を前記ケースの外部に向けて付勢する第２の付勢部材と、を備えていることを特徴とするスイッチ装置である。
【００９８】
請求項６に記載の発明は、請求項５に記載のスイッチ装置において、前記第２の付勢部材は、ばね部材であることを特徴とするスイッチ装置である。
【００９９】
請求項７に記載の発明は、請求項５に記載のスイッチ装置において、前記第２の付勢部材は、弾力性を有する弾性部材であることを特徴とするスイッチ装置である。
【０１００】
請求項８に記載の発明は、請求項１〜請求項７のいずれかに記載のスイッチ装置において、前記緩衝保護部材は、前記ケースの外部に前記操作部材と共に押し出された際に、前記緩衝保護部材の外端面と前記操作部材の外端面とがほぼ同一面上に位置することを特徴とするスイッチ装置である。
【０１０１】
請求項９に記載の発明は、請求項１〜請求項８のいずれかに記載のスイッチ装置において、前記ケース内に設けられて、前記操作部材が前記緩衝保護部材のスライド長さよりも長いスライド長さで押し込まれた際に、オン状態になるスイッチ部を備えていることを特徴とするスイッチ装置である。
【０１０２】
請求項１０記載の発明は、請求項９に記載のスイッチ装置において、前記操作部材のスライド長さは、前記操作部材が押し出された第１の位置と前記操作部材が押し込まれて前記スイッチ部がオン状態になった第２の位置との間の長さに設定され、前記緩衝保護部材のスライド長さは、前記緩衝保護部材が押し出されてその外端部と前記操作部材の外端面とがほぼ同一面上に位置する前記第１の位置と前記緩衝保護部材が前記操作部材と共に押し込まれても前記スイッチ部がオン状態にならない第３の位置との間の長さに設定されていることを特徴とするスイッチ装置である。
【０１０３】
請求項１１に記載の発明は、請求項１〜請求項１０のいずれかに記載されたスイッチ装置を備えていることを特徴とする時計である。
【符号の説明】
【０１０４】
１  腕時計ケース
２  本体ケース
３  外装ケース
６  時計モジュール
１０  スイッチ装置
１１  貫通孔
１１ａ  雌ねじ部
１３  筒状部材
１４  操作部材
１５  緩衝保護部材
１６  筒状部
１６ａ  雄ねじ部
１７  鍔状部
１８  軸部
１９  頭部
２０  防水リング
２１  抜止め部材
２２  スイッチ部
２３  第１ばね部材
２４  保持筒部
２５  保持溝
２６  第２ばね部材
３０  弾性部材
Ｓ１  操作部材のスライド長さ
Ｓ２  緩衝保護部材のスライド長さ
【図１】
2017219448.tif 000003
【図２】
2017219448.tif 000004
【図３】
2017219448.tif 000005
【図４】
2017219448.tif 000006
【図５】
2017219448.tif 000007